(57)【要約】【課題】  小さい形状でも受発光素子等の光軸を最適な方向に向けて設定することが可能な光通信アンテナのケースおよび光通信アンテナを提供する。【解決手段】  受光素子、発光素子および受発光素子１のいずれかを備える光通信アンテナのケースであって、前記受光素子、発光素子および受発光素子１のいずれかと直接或いは回路基板２を介して電気的接続により接合する端子３を備えるインナーケース４と、前記インナーケース４と嵌合して内部を保護するアウターケース５とからなることを特徴とする光通信アンテナのケース。【選択図】        図１
2005039063.tif 000002
【特許請求の範囲】
【請求項１】
受光素子、発光素子および受発光素子のいずれかを備える光通信アンテナのケースであって、前記受光素子、発光素子および受発光素子のいずれかと直接或いは回路基板を介して電気的接続により接合する端子を備えるインナーケースと、前記インナーケースと嵌合して内部を保護するアウターケースとからなることを特徴とする光通信アンテナのケース。
【請求項２】
受光素子、発光素子および受発光素子のいずれかと、そのケースとを備える光通信アンテナであって、前記ケースは、前記受光素子、発光素子および受発光素子のいずれかと直接或いは回路基板を介して電気的接続により接合する端子を備えるインナーケースと、前記インナーケースと嵌合して内部を保護するアウターケースとからなることを特徴とする光通信アンテナ。
【請求項３】
受光素子、発光素子および受発光素子のいずれかと、端子を有するインナーケースと、アウターケースとを備える光通信アンテナであって、受光素子、発光素子および受発光素子のいずれかを、直接或いは回路基板を介して、前記インナーケースが有する端子に電気的接続により接合して中間組立品とし、前記中間組立品をアウターケースに嵌合してなることを特徴とする光通信アンテナ。
【請求項４】
前記インナーケースは、前記端子をインサート成型し、前記中間組立品は、前記端子をコネクタの電極とすることを特徴とする請求項３記載の光通信アンテナ。
【請求項５】
前記インナーケースは、受光素子、発光素子および受発光素子のいずれかを直接或いは回路基板を介して所定の角度で載置できる傾斜面を備えたことを特徴とする請求項２ないし４のいずれか記載の光通信アンテナ。
【請求項６】
前記端子は、前記受光素子、発光素子および受発光素子のいずれか或いは前記回路基板と９０度の角度で接合するための屈曲部を備えることを特徴とする請求項２ないし４のいずれか記載の光通信アンテナ。
【請求項７】
前記中間組立品は、前記アウターケースに嵌合すべく圧力を加えるための圧力付加部を備えることを特徴とする請求項３記載の光通信アンテナ。
【請求項８】
前記中間組立品と前記アウターケースは、返りを有する少なくとも１箇所の突起部と前記突起部が入る穴とからなるツメ構造により、嵌合されることを特徴とする請求項３記載の光通信アンテナ。
【発明の詳細な説明】
【技術分野】
【０００１】
本発明は、車載ＶＩＣＳビーコンアンテナ等に用いられる光通信アンテナのケースおよび光通信アンテナに関するものである。
【背景技術】
【０００２】
車載ＶＩＣＳビーコンアンテナ等に用いる光通信アンテナは、光軸を所定の方向に合わせる必要がある。
【０００３】
図５および図６を用いて従来の技術を説明する。
【０００４】
１は受発光素子、２０は基板、２１はメイン基板、２２はサブ基板、３０は角度調整台、４０はケース、Ｌは光軸である。
【０００５】
従来は、図５に示すように、ケース４０ごと基板２０を角度調整台３０によって傾斜させて光軸Ｌを所定の方向に合わせたり、また、図６に示すように、水平に設置されたメイン基板２１にサブ基板２２を傾斜させて取りつけることで、光軸Ｌを所定の方向に合わせたりしていた。また、サブ基板２２を用いず、メイン基板２１に対して受発光素子１を直接傾斜させて取りつけることもあった（この場合、斜め端子構造を持つ受発光素子を用いる等していた。）。
【０００６】
なお、関連する文献公知発明がないので、情報の所在の記載は省略する。
【発明の開示】
【発明が解決しようとする課題】
【０００７】
上記の構造は比較的大きなケース或いは開口部の大きなケースを用いる光通信アンテナでは成立する。
【０００８】
しかし、形状によって、特に開口部の小さいケースを用いる光通信アンテナの場合、下記の問題点が生じる。
【０００９】
１．小さい開口部から作業しなければならないので、半田付け作業が困難になる。また、基板２０またはメイン基板２１に対し、端子３の接合部が傾斜しているので、電気的な接合部が深くなってしまう（開口部から遠い場所に位置してしまう）ことが多く、さらに半田付け作業が困難になる。従って、作業時にケースを破損してしまうこともあった。
【００１０】
２．光軸Ｌを斜めにすると、ケース内での基板２０と端子３の接合が難しいものになると共に、これらを半田付けする際、搭載する素子が邪魔になり一層半田付けが困難になる。
【００１１】
本発明は、以上のような問題点に鑑みて為されたものであり、その目的とする処は、小さい形状でも受発光素子等の光軸を最適な方向に向けて設定することが可能な光通信アンテナのケースおよび光通信アンテナを提供することにある。
【課題を解決するための手段】
【００１２】
本発明は、下記の技術的構成により前記課題を達成できたものである。
【００１３】
（１）受光素子、発光素子および受発光素子のいずれかを備える光通信アンテナのケースであって、前記受光素子、発光素子および受発光素子のいずれかと直接或いは回路基板を介して電気的接続により接合する端子を備えるインナーケースと、前記インナーケースと嵌合して内部を保護するアウターケースとからなることを特徴とする光通信アンテナのケース。
【００１４】
（２）受光素子、発光素子および受発光素子のいずれかと、そのケースとを備える光通信アンテナであって、前記ケースは、前記受光素子、発光素子および受発光素子のいずれかと直接或いは回路基板を介して電気的接続により接合する端子を備えるインナーケースと、前記インナーケースと嵌合して内部を保護するアウターケースとからなることを特徴とする光通信アンテナ。
【００１５】
（３）受光素子、発光素子および受発光素子のいずれかと、端子を有するインナーケースと、アウターケースとを備える光通信アンテナであって、受光素子、発光素子および受発光素子のいずれかを、直接或いは回路基板を介して、前記インナーケースが有する端子に電気的接続により接合して中間組立品とし、前記中間組立品をアウターケースに嵌合してなることを特徴とする光通信アンテナ。
【００１６】
（４）前記インナーケースは、前記端子をインサート成型し、前記中間組立品は、前記端子をコネクタの電極とすることを特徴とする前記（３）項記載の光通信アンテナ。
【００１７】
（５）前記インナーケースは、受光素子、発光素子および受発光素子のいずれかを直接或いは回路基板を介して所定の角度で載置できる傾斜面を備えたことを特徴とする前記（２）項ないし（４）項のいずれか記載の光通信アンテナ。
【００１８】
（６）前記端子は、前記受光素子、発光素子および受発光素子のいずれか或いは前記回路基板と９０度の角度で接合するための屈曲部を備えることを特徴とする前記（２）項ないし（４）項のいずれか記載の光通信アンテナ。
【００１９】
（７）前記中間組立品は、前記アウターケースに嵌合すべく圧力を加えるための圧力付加部を備えることを特徴とする前記（３）項記載の光通信アンテナ。
【００２０】
（８）前記中間組立品と前記アウターケースは、返りを有する少なくとも１箇所の突起部と前記突起部が入る穴とからなるツメ構造により、嵌合されることを特徴とする前記（３）項記載の光通信アンテナ。
【発明の効果】
【００２１】
本発明によれば、小さい形状でも受発光素子等の光軸を最適な方向に向けて設定することが可能な光通信アンテナのケースおよび光通信アンテナを提供できる。
【発明を実施するための最良の形態】
【００２２】
本発明を実施するための最良の形態を、実施例を用いて説明する。
【実施例１】
【００２３】
図１〜図４を用いて実施例を説明する。
【００２４】
図１は、本実施例における光通信アンテナの分解斜視図、図２（ａ）は、本実施例における光通信アンテナのアウターケースを切り欠いて示した正面斜視図、図２（ｂ）は、本実施例における光通信アンテナのアウターケースを切り欠いて示した背面斜視図、図３は、本実施例における光通信アンテナのアウターケースを断面とした側面図であって、受発光素子を省略して示した図、図４は、他の実施例を示す概略断面図であって、回路基板とインナーケースを断面とし、受発光素子とアウターケースとを省略して示した図である。
【００２５】
１は受発光素子である。なお、本実施例では受発光素子１を用いたが、受光素子或いは発光素子でもよい。
【００２６】
２は回路基板、３は、金属等の端子、３ａは、回路基板２と９０度の角度で接合するための屈曲部、４はインナーケース、４ａは傾斜面、４ｂは、返りを有する突起部、４ｃは、アウターケース５に嵌合すべく圧力を加えるための圧力付加部、５は、外部構造体として内部を保護するアウターケース、５ａは、返りを有する突起部、Ｘ、Ｘａは端子３用孔、Ｙは突起部５ａ用穴、Ｚは突起部４ｂ用穴である。
【００２７】
突起部４ｂと突起部４ｂ用穴Ｚとは、ツメ構造を構成する。また、突起部５ａと突起部５ａ用穴Ｙも、ツメ構造を構成する。そして、突起部４ｂおよび突起部５ａは、ともに返りを有しており、インナーケース４がアウターケース５から外れ、抜け落ちるのを防ぐ（図３参照。）。
【００２８】
本発明の特徴は、従来は一体であったケースを、インナーケース４とアウターケース５とに分離させることで、半田付けの作業を容易にすることにある。
【００２９】
すなわち、従来は、回路基板２とケースとを組合わせ、接合部がケース内部に位置して作業しにくい状態になってから半田付けの作業をしなければならなかったが（図２（ａ）、図２（ｂ）の状態で作業をしなければならなかったが）、本発明によれば、インナーケース４とアウターケース５とを分離できるので、まず回路基板２とインナーケース４とを組合わせ、接合部が露出して作業しやすい状態にあるうちに半田付けの作業をして中間組立品とし（図１参照。）、その後中間組立品をアウターケース５に嵌合させて光通信アンテナを構成することができる。これによって、半田付けの作業が容易になり、かつ接合部をアウターケース５内部に位置させることもでき、十分に保護することができる。
【００３０】
以下、詳細に説明する。
【００３１】
受発光素子１を搭載した回路基板２を端子３がついたインナーケース４の傾斜面４ａに載置し、回路基板２と端子３とを半田付けすることで電気的な接続を得る。これによって中間組立品を製造することができる。なおこのとき、受発光素子１を、回路基板２を介さずに、直接、端子３に半田付けして接合することもできる。
【００３２】
インナーケース４には、回路基板２を所定の角度で載置できる傾斜面４ａが設けられている。
【００３３】
本実施例の傾斜面４ａは、複数の箇所に設けられており、全て同一の傾斜を有している。従って、回路基板２を傾斜面４ａに載置することで受発光素子１を所定の角度に傾斜させることができる。なお、傾斜面４ａはこのような構造に限られるものではなく、例えば、１つの傾斜面のみから構成することもできる。
【００３４】
端子３は、設置角度として、傾斜した回路基板２に対し９０度の角度で接合できるように、屈曲部３ａを備えている。このような折り曲げ構造を有することで、端子３の先端である屈曲部３ａが、回路基板２の端子３用孔Ｘに挿通される。
【００３５】
なお、端子３は、回路基板２との接合において、回路基板２に対し９０度の角度を保つことが望ましいが、図４に示すように、回路基板２の端子３用孔Ｘを広げて、端子３用孔Ｘａとすることで対応することもできる。
【００３６】
回路基板２に半田付けにより接続された端子３は、インナーケース４の下方に続いており、アウターケース５と組合わせることによって、光通信アンテナ全体を外部と接続するためのコネクタの端子、コネクタの電極を兼ねることができる。
【００３７】
次に、回路基板２とインナーケース４とを接合した中間組立品を、アウターケース５に挿入する。
【００３８】
なお、インナーケース４には、アウターケース５に挿入する際に圧力を加えるための圧力付加部４ｃが設けられている。
【００３９】
圧力付加部４ｃに圧力を加えることで、中間組立品とアウターケース５とを容易に一体化することができる。
【００４０】
すなわち、インナーケース４を、アウターケース５に挿入すると、図２に示すように、突起部４ｂと突起部４ｂ用穴Ｚとからなるツメ構造、および突起部５ａと突起部５ａ用穴Ｙとからなるツメ構造が噛み合い、これによってインナーケース４とアウターケース５とが嵌合される。これによって、アウターケース５は光通信アンテナの一部と成る。また、コネクタの筐体を構成する一部と成る。
【００４１】
また、これによって、接合部がインナーケース４およびアウターケース５の内部に位置することになり、インナーケース４およびアウターケース５によって十分に保護することができる（図２（ａ）、図２（ｂ）参照。）。
【００４２】
このようにして、受発光素子１、回路基板２、端子３、インナーケース４、アウターケース５を一体として、光通信アンテナを構成することができる。
【００４３】
以上説明してきたように、本発明によれば、コネクタの端子、コネクタの電極を兼ねる端子３をインサート成型したインナーケース４を、他の筐体への取りつけ及び回路の保護及びコネクタの外部構造体等の機能を有するアウターケース５と分離させたことにより、受光素子、発光素子および受発光素子１のいずれかを駆動する回路基板２と導通を取るための半田付けが容易にでき、小さい形状でも受発光素子１の光軸を最適な方向に向けて設定することが容易に可能な光通信アンテナのケースおよび光通信アンテナを提供することができる。
【図面の簡単な説明】
【００４４】
【図１】本実施例における光通信アンテナの分解斜視図
【図２】（ａ）は、本実施例における光通信アンテナのアウターケースを切り欠いて示した正面斜視図、（ｂ）は、本実施例における光通信アンテナのアウターケースを切り欠いて示した背面斜視図
【図３】本実施例における光通信アンテナのアウターケースを断面とした側面図であって、受発光素子を省略して示した図
【図４】他の実施例を示す概略断面図であって、回路基板とインナーケースを断面とし、受発光素子とアウターケースとを省略して示した図
【図５】従来の技術を説明する図
【図６】従来の技術を説明する図
【符号の説明】
【００４５】
１  受発光素子
２  回路基板
３  端子
３ａ  屈曲部
４  インナーケース
４ａ  傾斜面
４ｂ  突起部
４ｃ  圧力付加部
５  アウターケース
５ａ  突起部
Ｘ、Ｘａ  端子３用孔
Ｙ  突起部５ａ用穴
Ｚ  突起部４ｂ用穴
【図１】
2005039063.tif 000003
【図２】
2005039063.tif 000004
【図３】
2005039063.tif 000005
【図４】
2005039063.tif 000006
【図５】
2005039063.tif 000007
【図６】
2005039063.tif 000008